(57)【要約】      （修正有）【課題】ドラム式洗濯機において脱水立ち上げ開始の際に洗濯物とバランス液が共に下部に集まり偏芯荷重状態になる事による大きな揺れが起こる頻度を低くできる洗濯機を提供する。【解決手段】洗濯ドラムに搭載されているバランサ環４の内側に保水材８（液体、流動体を吸水、吸着して保持できる機能を持つ素材及び構造体も含む）を取り付け、洗濯ドラムを回転させてバランス液を保水材に吸水させる。バランス液が洗濯ドラム外周に、均等に張り付くので偏芯荷重状態が無くなる。【選択図】図４
0003187958.tif 000002
【実用新案登録請求の範囲】
【請求項１】
液体バランサシステム搭載の洗濯機であって、バランサ環４の内側に保水材８（液体、流動体を吸水、吸着して保持できる機能を持つ素材及び構造体も含む）を取り付け、注入されているバランス液９(流動体も含む)を吸水できる速度で回転させ、その液を保水材８全体で保水し、設定した遠心力で放出する機能を有する保水材８からバランス液９を放出する機能を持つ洗濯機
【請求項２】
液体バランサ還４であって、環内に内装されている保水材８から、遠心力により保水しているバランス液９を放出できる保水機能を持つ構造
【請求項３】
バランサ環４のセル７に付いている制御弁１１であって、素材の柔軟性を利用し、駆動部分が無く、バランス液９の移動を制御する弁
【考案の詳細な説明】
【技術分野】
【０００１】
本考案は、液体バランサ搭載のドラム式洗濯機に関するものである。
【背景技術】
【０００２】
洗濯機に、衣類が作くる偏芯荷重を補正する液体バランサシステム（以後バランサと呼ぶ）を設けている横向き洗濯機の場合の基本構造は図１に示すように、洗濯機外箱６と、この洗濯機外箱６からスプリング１で洗濯ドラム収納容器２を吊り、その内部に液体バランサ搭載洗濯ドラム３が収納されていて、洗濯ドラム収納容器２を更に下方からダンパー５で支持している。  洗濯ドラム収納容器２に収納されている液体バランサ搭載洗濯ドラム３を回す駆動モーターが付いている。洗濯ドラム収納容器２は中吊り状態に成っているので容易に揺れる。及び振動の原因に成っている共振周波数も持っている。
【先行技術文献】
【特許文献】
【０００３】
【特許文献１】特許公開２００６−０００３８７
【特許文献２】特許公開２００７−３２５８１１
【特許文献３】特許公開２０８８−１１３９７９
【特許文献４】特許公開２０１０−０２０７３４
【特許文献５】特許公開２０１０−１７２１７１
【特許文献６】特許公開２０１１−０１９９６４
【特許文献７】特許公開２０１１−０２４８４７
【特許文献８】特許公開平成０７-１６３８７
【特許文献９】特許公開平成０８−８４８８９
【考案の概要】
【考案が解決しようとする課題】
【０００４】
洗濯機には基本問題として揺れを防ぐ課題がある。揺れの原因は洗濯物が回転する洗濯ドラム内の洗濯物の偏在である。洗濯物は保水力、素材、形状、大きさが常に異なるが脱水回転時揺れを無くする為にはこれらを均等にドラム内に分散する必要がある。しかしながら偏在の状態は回転させた時に分かる
【０００５】
横向きバランサ搭載ドラム式洗濯機には基本的な未解決の課題がある。第一は従来の構成では横向きバランサ搭載ドラム式洗濯機に使用される環状のバランサにおいて、回転停止時バランサ環４に封入されているバランス液９(以後流動体も含む)は、洗濯物１０と同じく下部に集まり偏芯荷重状態を作る。バランス液９が均一に分散するドラムの回転速度、即ち臨界回転数 (過渡期回転数と同じ)まで、衣類の偏芯荷重の側にバランス液９が位置する事により、バランス液９が偏芯荷重を更に大きくするので、洗濯機は脱水開始時にバランサ無しの時と比べ大きく揺れる頻度が高くなる。
【０００６】
脱水開始の際、洗濯物１０の偏在による揺れを抑える為に洗濯ドラム３を出来るだけゆっくりと回転させて、徐々に脱水させることにより荷重を減らし揺れを小さくすることは可能ですが、洗濯ドラム３を緩やかに回転させての、自然重力を利用した脱水は、強制的な外力使用に比べ脱水量は非常に少なく、また時間に制約がある洗濯には適さない方法である。
脱水開始時の揺れを小さくする為、洗濯物１０の保水力、素材、形状、大きさが常に異なるので洗濯物１０の均等分散技術は出来上がっていない。不均等分散状態の解消策として、バランサの改良が必要で、洗濯物１０を含めた荷重の片寄りに対応するバランサの遠心力の制御を行う必要がある。
【０００７】
第二として洗濯ドラム３の高速回転時に起こるバランス液９の不必要な移動を防ぎ、また遅らせる事が必要である。第三としてバランス液量の不足がもたらす遠心力不足の回避も含め、その液量の最適化も必要である。
【０００８】
本考案の目的は、従来開発されたバランサでは、脱水開始の際、洗濯ドラム３に大きな振動が起こるので、振動低減を可能にした横向きまた縦向きの形状を問わず、バランサ搭載ドラム式洗濯機を提供する事である。また洗濯物１０とバランス液９との最適マッチングが設定出来る機能を提供することである。
【課題を解決するための手段】
【０００９】
脱水開始の際の振れる原因は、バランサ搭載ドラム式洗濯機に使用される従来の環状のバランサでは、回転停止時内部のバランス液９は洗濯物１０と同様に下部に集まる。洗濯ドラム３の軸に対し洗濯物１０の片寄り及びバランス液９の片寄りが、洗濯ドラム３を強制的に回転させる時、洗濯ドラム収納容器２がスプリグ１とダンパー５で中吊り状態で浮いている為、偏芯荷重により洗濯機を使用できなくなる程の揺れを誘発する。この片寄り時に発生するこの力を減らす必要がある。
【００１０】
従来は重いカウンタウエイトを取り付けて、揺れを少なくする手法も取り入れられているが、洗濯機本体を重たくする事になり、又重いカウンタウエイトで揺れを抑えるには家庭用洗濯機の構造上限界があるので、従来の方法では十分に対応できないでいる。それ故片寄りの要因となるバランス液９も均等に分散させることが要求される。
【００１１】
本考案ではバランス液９(以後流動体も含む)を分散させるため、図３の（３−１）に示すようにバランサ環４の内側に保水材８（液体、流動体を吸水、吸着して保持できる機能を持つ素材及び構造体も含む）を取り付け、適量注入されているバランス液９を吸水出来る速度で回転させ、バランス液９を保水材８全体に保水させる。バランス液９が洗濯ドラム３の周りに略均等に分散され、その結果図２に及び図３の（３−２）示す様に、Ａ点のドラム回転数の時点でバランス液９の均等保水状態ができ上がる。
【００１２】
バランス液９が保水材に固定されている状態の洗濯ドラム３を更に回転させる。この状態で図３の（３−３）に示す様に、洗濯物は分散されて固定され。  保持されたバランス液９は、必要な任意の遠心力で放出が行われるように加工された保水材よりドラム回転が放出回転数に即ちＢ点に達した時、発生した遠心力の力で強制的に放出される。保水材８と洗濯物１０とバランス液９の関係は図３の（３−４）の様になる。この様にドラム回転数がＡ点からB点までの区間ではバランス液９による片寄りが作る偏芯荷重状態は解消されている。
【００１３】
図２で示すようにバランス液９の遠心力が再び発生して洗濯物１０の遠心力とバランスを取ろうとバランサが機能し始める。洗濯ドラム３の回転が更に上昇しバランス液９は図３の（３−５）の様に洗濯物１０と反対側に移動する。回転を上げると洗濯物１０は張り付いて移動しないので、重心の位置はほとんど変わらないが、バランス液９の重心の位置は回転数の増加による洗濯物の水分の減少と遠心力の変化に合わせて、バランスを取る為に動く。
【００１４】
ドラムが高速度回転すると、条件によって洗濯物１０の側にバランス液９が戻ろうとするスロッシング現象がおこる事は知られている。バランス液９の移動を制御する必要とする時は、遠心力で動く制御弁１１を図６の様にセル７等に取り付ける。この制御弁１１はバランス液９の流れの制御を目的としセル７を密閉するものではない。柔軟性を持ち、駆動部分が無い制御弁１１は、ドラムの回転速度により制御弁の先端とバランス環の側面との間隔が変わる。この間隔はドラムの回転数即ち遠心力に比例するのでバランス液９の移動の制御を可能にする。
【００１５】
また毎回洗濯物の物性の変化により片寄りの、不均等分散の状態は変わるので、その遠心力は毎回変わり、同じ状態に成る事はなく、バランス液量の不足による遠心力不足トラブルが発生しやすい。その為液量の最適化が必要である。予測できる偏芯荷重の許容範囲を設定してバランス液９の適量を決める事が必要となる。
【００１６】
この考案ではバランス液９は脱水回転時の立ち上がりの際に、図２の様に早く保水材８に吸水される。その結果、バランス液９による偏芯荷重状態は急速に解消され、その液量は揺れ方向の力に殆ど影響を及ばさなく、厚さ１３、幅１２を調整する事によりバランス液９の最適量の設定が容易に出来る洗濯機の構造でもある。
【００１７】
バランサ環４の取り付け位置はいろいろと可能であるが、洗濯ドラム３の外周に取り付けた場合がバランス液９による遠心力が一番大きく取れるので、代表モデルとして説明する。この数値は請求範囲を縛るものではない。
【００１８】
市販されている横向き洗濯機は、基本的には構造及び形状・寸法が非常に似ている。皆同じではないが目安として洗濯機が持つ第一次共振周波数として約１３０ｒｐｍ、二次は２50ｐｒｍ、三次は５００ｒｐｍ前後の数値が予想できる。洗濯機が持つ共振周波数、バランサが持つ臨界回転数は当然洗濯物１０の量にも影響されるので固定されている数値ではない。
【００１９】
例えば従来の洗濯機は脱水工程では洗濯物１０は５０〜６０ｒｐｍで分散が始まり、それまでは洗濯物１０とバランス液９の遠心力の合計が偏芯荷重として洗濯ドラム３に働いている。略７０ｒｐｍでは洗濯物１０が洗濯ドラム３に張り付いている。臨界回転数と考えられる略１００ｒｐｍでバランス液９はバランサ環４内部の遠心力が加わる側面に、略均等に分散している。回転数の上昇とともにバランス液９は、洗濯物１０の反対側に移動する。
【００２０】
当考案では、保水材にドラム回転が１０ｒｐｍに達するまでに吸水され、略８０ｒｐｍで洗濯物１０は分散が終わると仮定すれば、この回転数を通過し、放出回転数を１００ｒｐｍと設計した場合、回転している保水材８に吸水されたバランス液９には、単純計算で１kg当たり、遠心力Fとして約５．５ｋｇ重（バランス環の直径が５０ｃｍの場合）が発生し、この遠心力で放出するように設計された保水材８よりバランス液９がバランス環４全体に放出される。放出されたバランス液９は共振周波数の洗濯ドラム回転数、１３０ｒｐｍに近づくに従い、バランス液９は、アンバランスと反対側に集まり、回転が増すと洗濯物１０の遠心力の差が最小となる位置に移動する。
【考案の効果】
【００２１】
バランサ環４の構造には駆動部がないので、保守部品数の増加はない。
【００２２】
回転初めに全体に吸水する為、リング状のカウンタウエイトになる。
【００２３】
振動による洗濯機の故障が減る。
【００２４】
洗濯ドラム３を保持する軸受けの寿命が延びる。
【００２５】
バランス液９の必要な量を容易に調整できる。
【図面の簡単な説明】
【００２６】
【図１】横向きバランサ搭載のドラム洗濯機の基本形で、バランサ環４付き洗濯ドラム３及び洗濯ドラム収納容器２はスプリング１で吊られ、ダンパー５で支えられている。
【００２７】
【図２】洗濯物１０とバランス液９の偏芯荷重状態が作る力・遠心力の変化を表している。当考案では洗濯ドラム３が回転して保水材８がバランス液９をＡ点で吸水完了し、バランス液９による偏芯荷重状態が解消され、Ｂ点に達するとバランス液９を放出して再びバランス液９による遠心力が現れる。また洗濯物１０の重量は回転が上昇して、脱水により重さは軽くなるが、その遠心力はバランス液９の遠心力と釣り合い状態になる。
【００２８】
【図３】バランス液９の動きと、その移動状態及び洗濯物１０の状態で、図の左側方向に従い洗濯ドラム３の回転数が上昇し、洗濯物１０は徐々に脱水されている。（3-１）は停止状態、（3-2）は洗濯ドラム３が回転を開始し、バランス液９が保水材８に吸水完了を示している。（3-3）はバランス液９が保水材８に吸水完了、洗濯物１０も洗濯ドラム３に張り付いている。（3-4）は洗濯ドラム３が放出回転数に達し、バランス液９が完全放出されている。（3-5）は回転速度が高くなり、バランス液９が洗濯物１０の反対側に移動している。
【００２９】
【図４】バランス環４の切断面で、保水材８が取り付けられている
【００３０】
【図５】バランサ環４の内部の切断面で、保水材８が内装されているセル７群が用意されている
【００３１】
【図６】セル７に付いている液体の移動を制御する弁
【考案を実施するための形態】
【００３２】
従来のバランサでは、脱水開始の際洗濯ドラムに大きな振動が起こるので、この振動低減を目的として、駆動部品を使用しないで実現した。
【実施例１】
【００３３】
図４は、一番簡単な構造で、バランサ環４の内部に必要量の保水材８を取り付けている。洗濯ドラム３が回るとバランス液９を吸水する構造
【実施例２】
【００３４】
図５は、脱水回転を始めると、軟質の制御弁１１によりバランス液９がセル７に誘導される。内部には保水材８が収納されており、吸水してバランス液９を固定する。洗濯ドラム３が放出回転数 に達した頃、遠心力により軟質の制御弁１１が開き、バランス液９を環内に放出する構造
【実施例３】
【００３５】
図６は、脱水回転を始めると、軟質の制御弁１１によりバランス液９がセル７に誘導される。洗濯ドラム３が放出回転数 に達した頃、遠心力により軟質の制御弁１１が開き、バランス液９を環内に放出する構造で、弁の先端とバランサ環４の壁との間隔により液の移動を制御する。
【産業上の利用可能性】
【００３６】
以上のように、本考案の洗濯機は、振動削減に駆動部分を使用しないで脱水回転を安定化し、且つ脱水回転の開始時の揺れを軽減し、共振時の振動を悪化させることなく、バランサのアンバランス補正力を向上させるので、結果として、故障の大きな要因である振動が減り保守費を軽減出来るので輸出拡大を可能にできる。
【符号の説明】
【００３７】
１・・・スプリング
２・・・洗濯ドラム収納容器
３・・・洗濯ドラム
４・・・バランサ環
５・・・ダンパー
６・・・洗濯機外箱
７・・・セル
８・・・保水材
９・・・バランス液
１０・・・洗濯物
１１・・・制御弁
１２・・・幅
１３・・・厚さ
【図１】
0003187958.tif 000003
【図２】
0003187958.tif 000004
【図３】
0003187958.tif 000005
【図４】
0003187958.tif 000006
【図５】
0003187958.tif 000007
【図６】
0003187958.tif 000008
【手続補正書】
【提出日】平成25年10月22日(2013.10.22)
【手続補正１】
【補正対象書類名】実用新案登録請求の範囲
【補正対象項目名】全文
【補正方法】変更
【補正の内容】
【実用新案登録請求の範囲】
【請求項１】
液体バランサシステム搭載の洗濯機であって、バランサ環（４）の内側に保水材（８）を取り付け、注入されているバランス液（９）を吸水できる速度で回転させ、その液を保水材（８）全体で保水し、設定した遠心力が発生した時、バランス液（９）を保水材（８）から放出するバランサ環（４）の搭載を特徴とする洗濯機
【請求項２】
液体バランサ環（４）に、素材の柔軟性を利用し、駆動部分が無く、バランス液（９）の移動を制御する、遠心力により動く制御弁（１１）が付いていることを特徴とする請求項１記載の洗濯機
【手続補正２】
【補正対象書類名】明細書
【補正対象項目名】全文
【補正方法】変更
【補正の内容】
【考案の詳細な説明】
【技術分野】
【０００１】
本考案は、液体バランサ搭載のドラム式洗濯機に関するものである。
【背景技術】
【０００２】
洗濯機に、衣類が作くる偏芯荷重を補正する液体バランサシステム（以後バランサと呼ぶ）を設けている横向き洗濯機の場合の基本構造は図１に示すように、洗濯機外箱（６）と、この洗濯機外箱（６）からスプリング（１）で洗濯ドラム収納容器（２）を吊り、その内部に液体バランサ搭載洗濯ドラム（３）が収納されていて、洗濯ドラム収納容器（２）を更に下方からダンパー（５）で支持している。洗濯ドラム収納容器（２）に収納されている液体バランサ搭載洗濯ドラム（３）を回す駆動モーターが付いている。洗濯ドラム収納容器（２）は中吊り状態に成っているので容易に揺れる。及び振動の原因に成っている共振周波数も持っている。
【先行技術文献】
【特許文献】
【０００３】
【特許文献１】特許公開２００６−０００３８７
【特許文献２】特許公開２００７−３２５８１１
【特許文献３】特許公開２０８８−１１３９７９
【特許文献４】特許公開２０１０−０２０７３４
【特許文献５】特許公開２０１０−１７２１７１
【特許文献６】特許公開２０１１−０１９９６４
【特許文献７】特許公開２０１１−０２４８４７
【特許文献８】特許公開平成０７-１６３８７
【特許文献９】特許公開平成０８−８４８８９
【考案の概要】
【考案が解決しようとする課題】
【０００４】
洗濯機には基本問題として揺れを防ぐ課題がある。揺れの原因は洗濯物（１０）が回転する洗濯ドラム内の洗濯物（１０）の偏在である。洗濯物（１０）は保水力、素材、形状、大きさが常に異なるが脱水回転時揺れを無くする為にはこれらを均等にドラム内に分散する必要がある。しかしながら偏在の状態は回転させた時に分かる
【０００５】
横向きバランサ搭載ドラム式洗濯機には基本的な未解決の課題がある。第一は従来の構成では横向きバランサ搭載ドラム式洗濯機に使用されるバランサ環（４）において、回転停止時バランサ環（４）に封入されているバランス液（９）は、洗濯物（10）と同じく下部に集まり偏芯荷重状態を作る。バランス液（９）が均一に分散するドラムの回転速度、即ち臨界回転数 (過渡期回転数と同じ)まで、衣類の偏芯荷重の側にバランス液（９）が位置する事により、バランス液（９）が偏芯荷重を更に大きくするので、洗濯機は脱水開始時にバランサ無しの時と比べ大きく揺れる頻度が高くなる。
【０００６】
脱水開始の際、洗濯物（10）の偏在による揺れを抑える為に洗濯ドラム（３）を出来るだけゆっくりと回転させて、徐々に脱水させることにより荷重を減らし揺れを小さくすることは可能ですが、洗濯ドラム（３）を緩やかに回転させての、自然重力を利用した脱水は、強制的な外力使用に比べ脱水量は非常に少なく、また時間に制約がある洗濯には適さない方法である。
脱水開始時の揺れを小さくする為、洗濯物（10）の保水力、素材、形状、大きさが常に異なるので洗濯物（10）の均等分散技術は出来上がっていない。不均等分散状態の解消策として、バランサの改良が必要で、洗濯物（10）を含めた荷重の片寄りに対応するバランサ環（４）の遠心力の制御を行う必要がある。
【０００７】
第二として洗濯ドラム（３）の高速回転時に起こるバランス液（９）の不必要な移動を防ぎ、また遅らせる事が必要である。第三としてバランス液（９）量の不足がもたらす遠心力不足の回避も含め、その液量の最適化も必要である。
【０００８】
本考案の目的は、従来開発されたバランサ環（４）では、脱水開始の際、洗濯ドラム（３）に大きな振動が起こるので、振動低減を可能にした横向きまた縦向きの形状を問わず、バランサ搭載ドラム式洗濯機を提供する事である。また洗濯物（10）とバランス液（９）との最適マッチングが設定出来る機能を提供することである。
【課題を解決するための手段】
【０００９】
脱水開始の際の振れる原因は、バランサ搭載ドラム式洗濯機に使用される従来のバランサ環（４）では、回転停止時内部のバランス液（９）は洗濯物（10）と同様に下部に集まる。洗濯ドラム（３）の軸に対し洗濯物（10）の片寄り及びバランス液（９）の片寄りが、洗濯ドラム（３）を強制的に回転させる時、洗濯ドラム収納容器（２）がスプリグ（１）とダンパー（５）で中吊り状態で浮いている為、偏芯荷重により洗濯機を使用できなくなる程の揺れを誘発する。この片寄り時に発生するこの力を減らす必要がある。
【００１０】
従来は重いカウンタウエイトを取り付けて、揺れを少なくする手法も取り入れられているが、洗濯機本体を重たくする事になり、又重いカウンタウエイトで揺れを抑えるには家庭用洗濯機の構造上限界があるので、従来の方法では十分に対応できないでいる。それ故片寄りの要因となるバランス液（９）も均等に分散させることが要求される。
【００１１】
本考案ではバランス液（９）(以後流動体も含む)を分散させるため、図３の（３−１）に示すようにバランサ環（４）の内側に保水材８を取り付け、適量注入されているバランス液（９）を吸水出来る速度で回転させ、バランス液（９）を保水材（８）全体に保水させる。バランス液（９）が洗濯ドラム（３）の周りに略均等に分散され、その結果図２に及び図３の（３−２）示す様に、Ａ点のドラム回転数の時点でバランス液（９）の均等保水状態ができ上がる。
【００１２】
バランス液（９）が保水材に固定されている状態の洗濯ドラム（３）を更に回転させる。この状態で図３の（３−３）に示す様に、洗濯物は分散されて固定され。保持されたバランス液（９）は、必要な任意の遠心力で放出が行われるように加工された保水材よりドラム回転が放出回転数に即ちＢ点に達した時、発生した遠心力の力で強制的に放出される。保水材（８）と洗濯物（10）とバランス液（９）の関係は図３の（３−４）の様になる。この様にドラム回転数がＡ点からＢ点までの区間ではバランス液（９）による片寄りが作る偏芯荷重状態は解消されている。
【００１３】
図２で示すようにバランス液（９）の遠心力が再び発生して洗濯物（10）の遠心力とバランスを取ろうとバランサが機能し始める。洗濯ドラム（３）の回転が更に上昇しバランス液（９）は図３の（３−５）の様に洗濯物（10）と反対側に移動する。回転を上げると洗濯物（10）は張り付いて移動しないので、重心の位置はほとんど変わらないが、バランス液（９）の重心の位置は回転数の増加による洗濯物の水分の減少と遠心力の変化に合わせて、バランスを取る為に動く。
【００１４】
ドラムが高速度回転すると、条件によって洗濯物（10）の側にバランス液（９）が戻ろうとするスロッシング現象がおこる事は知られている。バランス液（９）の移動を制御する必要とする時は、遠心力で動く制御弁（1１）を図６の様にセル（７）等に取り付ける。この制御弁（1１）はバランス液（９）の流れの制御を目的としセル（７）を密閉するものではない。柔軟性を持ち、駆動部分が無い制御弁（1１）は、ドラムの回転速度により制御弁の先端とバランス環の側面との間隔が変わる。この間隔はドラムの回転数即ち遠心力に比例するのでバランス液（９）の移動の制御を可能にする。
【００１５】
また毎回洗濯物の物性の変化により片寄りの、不均等分散の状態は変わるので、その遠心力は毎回変わり、同じ状態に成る事はなく、バランス液量の不足による遠心力不足トラブルが発生しやすい。その為液量の最適化が必要である。予測できる偏芯荷重の許容範囲を設定してバランス液（９）の適量を決める事が必要となる。
【００１６】
この考案ではバランス液（９）は脱水回転時の立ち上がりの際に、図２の様に早く保水材（８）に吸水される。その結果、バランス液（９）による偏芯荷重状態は急速に解消され、その液量は揺れ方向の力に殆ど影響を及ばさなく、厚さ（1３）、幅（12）を調整する事によりバランス液（９）の最適量の設定が容易に出来る洗濯機の構造でもある。
【００１７】
バランサ環（４）の取り付け位置はいろいろと可能であるが、洗濯ドラム（３）の外周に取り付けた場合がバランス液（９）による遠心力が一番大きく取れるので、代表モデルとして説明する。この数値は請求範囲を縛るものではない。
【００１８】
市販されている横向き洗濯機は、基本的には構造及び形状・寸法が非常に似ている。皆同じではないが目安として洗濯機が持つ第一次共振周波数として約１３０ｒｐｍ、二次は２50ｐｒｍ、三次は５００ｒｐｍ前後の数値が予想できる。洗濯機が持つ共振周波数、バランサが持つ臨界回転数は当然洗濯物（10）の量にも影響されるので固定されている数値ではない。
【００１９】
例えば従来の洗濯機は脱水工程では洗濯物（10）は５０〜６０ｒｐｍで分散が始まり、それまでは洗濯物（10）とバランス液（９）の遠心力の合計が偏芯荷重として洗濯ドラム（３）に働いている。略７０ｒｐｍでは洗濯物（10）が洗濯ドラム（３）に張り付いている。臨界回転数と考えられる略１００ｒｐｍでバランス液（９）はバランサ環（４）内部の遠心力が加わる側面に、略均等に分散している。回転数の上昇とともにバランス液（９）は、洗濯物（10）の反対側に移動する。
【００２０】
当考案では、保水材（８）にドラム回転が１０ｒｐｍに達するまでに吸水され、略８０ｒｐｍで洗濯物（10）は分散が終わると仮定すれば、この回転数を通過し、放出回転数を１００ｒｐｍと設計した場合、回転している保水材（８）に吸水されたバランス液（９）には、単純計算で１kg当たり、遠心力Fとして約５．５ｋｇ重（バランス環の直径が５０ｃｍの場合）が発生し、この遠心力で放出するように設計された保水材（８）よりバランス液（９）がバランス環（４）全体に放出される。放出されたバランス液（９）は共振周波数の洗濯ドラム回転数、１３０ｒｐｍに近づくに従い、バランス液（９）は、アンバランスと反対側に集まり、回転が増すと洗濯物（10）の遠心力の差が最小となる位置に移動する。
以上の説明で分かるように、このシステムは吸水と遠心力による放出がサイクルとなっているので、これから流動性がある物と遠心力と保持素材とのサイクルは容易に想到されるでしょう。
【考案の効果】
【００２１】
バランサ環（４）の構造には駆動部がないので、保守部品数の増加はない。
【００２２】
回転初めに全体に吸水する為、リング状のカウンタウエイトになる。
【００２３】
振動による洗濯機の故障が減る。
【００２４】
洗濯ドラム（３）を保持する軸受けの寿命が延びる。
【００２５】
バランス液（９）の必要な量を容易に調整できる。
【図面の簡単な説明】
【００２６】
【図１】横向きバランサ搭載のドラム洗濯機の基本形で、バランサ環（４）付き洗濯ドラム（３）及び洗濯ドラム収納容器（２）はスプリング（１）で吊られ、ダンパー（５）で支えられている。
【００２７】
【図２】洗濯物（10）とバランス液（９）の偏芯荷重状態が作る力・遠心力の変化を表している。当考案では洗濯ドラム（３）が回転して保水材（８）がバランス液（９）をＡ点で吸水完了し、バランス液（９）による偏芯荷重状態が解消され、Ｂ点に達するとバランス液（９）を放出して再びバランス液（９）による遠心力が現れる。また洗濯物（10）の重量は回転が上昇して、脱水により重さは軽くなるが、その遠心力はバランス液（９）の遠心力と釣り合い状態になる。
【００２８】
【図３】バランス液（９）の動きと、その移動状態及び洗濯物（10）の状態で、図の左側方向に従い洗濯ドラム（３）の回転数が上昇し、洗濯物（10）は徐々に脱水されている。（３-１）は停止状態、（３-2）は洗濯ドラム（３）が回転を開始し、バランス液（９）が保水材（８）に吸水完了を示している。（３-３）はバランス液（９）が保水材（８）に吸水完了、洗濯物（10）も洗濯ドラム（３）に張り付いている。（３-4）は洗濯ドラム（３）が放出回転数に達し、バランス液（９）が完全放出されている。（３-５）は回転速度が高くなり、バランス液（９）が洗濯物（10）の反対側に移動している。
【００２９】
【図４】バランス環（４）の切断面で、保水材（８）が取り付けられている
【００３０】
【図５】バランサ環（４）の内部の切断面で、保水材（８）が内装されているセル（７）群が用意されている
【００３１】
【図６】セル（７）に付いている液体の移動を制御する弁
【考案を実施するための形態】
【００３２】
従来のバランサでは、脱水開始の際洗濯ドラムに大きな振動が起こるので、この振動低減目的をとして、駆動部品を使用しないで実現した。
【実施例１】
【００３３】
図４は、一番簡単な構造で、バランサ環（４）の内部に必要量の保水材（８）を取り付けている。洗濯ドラム（３）が回るとバランス液（９）を吸水する構造
【実施例２】
【００３４】
図５は、脱水回転を始めると、軟質の制御弁（1１）によりバランス液（９）がセル（７）に誘導される。内部には保水材（８）が収納されており、吸水してバランス液（９）を固定する。洗濯ドラム（３）が放出回転数 に達した頃、遠心力により軟質の制御弁（1１）が開き、バランス液（９）を環内に放出する構造
【実施例３】
【００３５】
図６は、脱水回転を始めると、軟質の制御弁（1１）によりバランス液（９）がセル（７）に誘導される。洗濯ドラム（３）が放出回転数 に達した頃、遠心力により軟質の制御弁（1１）が開き、バランス液（９）を環内に放出する構造で、弁の先端とバランサ環（４）の壁との間隔により液の移動を制御する。
【産業上の利用可能性】
【００３６】
以上のように、本考案の洗濯機は、振動削減に駆動部分を使用しないで脱水回転を安定化し、且つ脱水回転の開始時の揺れを軽減し、共振時の振動を悪化させることなく、バランサのアンバランス補正力を向上させるので、結果として、故障の大きな要因である振動が減り保守費を軽減出来るので輸出拡大を可能にできる。
【符号の説明】
【００３７】
１・・・スプリング
２・・・洗濯ドラム収納容器
３・・・洗濯ドラム
４・・・バランサ環
５・・・ダンパー
６・・・洗濯機外箱
７・・・セル
８・・・保水材
９・・・バランス液
１０・・・洗濯物
１１・・・制御弁
１２・・・幅
１３・・・厚さ